(57)【特許請求の範囲】
【請求項１】
上カバーとベースフレームとを樹脂成形で形成して画像読取り装置のフレームを構成するとともに、上カバーの中央開口部に配置する読取り原稿を載置するガラス板と、読取り光学係を備える読取りユニットと、当該読取りユニットを副走査方向に案内するために設けるキャリア軸と従動レールとを備える画像読取り装置のフレーム構造において、
前記ガラス板を貼付けた前記上カバーを、前記キャリア軸と前記従動レールとが暫定的に設置される前記ベースフレームに装着する過程で、前記キャリア軸と前記従動レールとが前記上カバーに位置決めされる、
ことを特徴とする画像読取り装置のフレーム構造。
【発明の詳細な説明】
【０００１】
【発明の属する技術分野】
この発明は、読取りユニットを移動させて読取る画像読取り装置のフレーム構造に関し、特に、読取り基準面から読取りユニットまでの距離を一定に精度よく保つようにして読取り基準面からＣＣＤまでの光路長を一定にする。また、画像読取り装置のフレーム強度を増大して装置のねじれなどに対しても強度を保つとともに、装置全体がねじれた場合でも読取り開始位置と読取り終端位置において位置ずれを解消して画像品質を向上する、画像読取り装置のフレーム構造に関するものである。
【０００２】
【従来の技術】
図５は画像読取り装置の概観斜視図を示すものである。同図において、例えば、画像読取り装置５０は、原稿押えカバー５１と、自動給紙ユニット５２と、給紙トレー５３と、排出トレー５４とを構成するとともに、図示しない読取り光学係を備える読取りユニットを構成しているものがある。このような画像読取り装置５０は、読取りユニットを所定位置に固定し、給紙トレー５３に搭載した原稿を自動給紙ユニット５２によって一定速度で搬送させて読取りユニットで読取り、読取り後の原稿を排出トレー５４に排出する、いわゆる自動給紙機構方式と、原稿を原稿押えカバー５１によって固定し、読取りユニットを一定速度で移動させながら順次イメージを読取る、いわゆるフラットベッドタイプの原稿固定方式とを兼ね備えた画像読取り装置である。
【０００３】
なお、画像読取り装置５０は、上カバー５５と、ベースフレーム５６とで画像読取り装置５０のフレームを構成しており、前記の読取りユニットを内蔵している。
【０００４】
図６は従来技術の図を示すものである。同図（ａ）は図５に示す矢印Ａから見た断面図を示し、同図（ｂ）は図５に示す矢印Ｂから見た断面図を示している。同図において、原稿固定方式を備えた画像読取り装置は、上カバー５５とベースフレーム５６とを樹脂成形で形成して画像読取り装置のフレームを構成している。また、上カバー５５の中央開口部には読取り原稿を載置するために設けるガラス板６１を固着している。一方、ベースフレーム５６には読取り光学係を備える読取りユニット７１と、当該読取りユニット７１を副走査方向に案内するために設けるキャリア軸６２と、従動レール６３とを備えている。
【０００５】
読取りユニット７１は、図示しない駆動ベルトなどによって駆動されて、キャリア軸６２上を移動する。また、読取りユニット７１は、従動ローラ７２を設けており、従動レール６３上に当接される。なお、読取りユニット７１は、光源７３と、ミラー７４と、結像レンズ７５と、ＣＣＤ７６とで読取り光学係を構成している。
【０００６】
原稿を読取る場合は、読取り原稿を上カバー５５の中央開口部に固着するガラス板６１に載置して原稿押えカバー５１によって固定し、ベースフレーム５６に備える読取りユニット７１を副走査方向に一定速度で移動させながら順次イメージを読取ることになる。
【０００７】
このため、読取り基準となるガラス板６１を上カバーに設置し、副走査方向に移動する読取りユニット７１をベースフレーム５６に設置することから、読取り基準となる機構部を上カバー５５とベースフレーム５６とに設置することになる。これにより、画像読取り装置に要求される精度は、各部品を組合せることによって決定する組立精度となる。さらに、装置のねじれなどに対しても強度を保つためには、上カバー単品とベースフレーム単品での強度を必要とする。
【０００８】
【発明が解決しようとする課題】
前記のごとく、従来の技術では次のような問題点がある。
【０００９】
１）画像読取り装置に要求される精度を保証することができなくなる場合が有り、原稿走査における光路長が不安定になり、被写界深度を超える場合は、ピントが合わなくなる。
【００１０】
２）装置全体がねじれた場合は、読取り開始位置と読取り終端位置において位置ずれが発生する。
【００１１】
この発明の課題は、
原稿走査における光路長を安定させてピンボケを解消するために画像読取り装置に要求される精度を保証することにある。
【００１２】
また、画像読取り装置の組立において、組立作業性と組立精度とを保つことにある。
【００１３】
また、画像読取り装置のフレーム強度を増大して装置のねじれなどに対しても強度を保つとともに、装置全体がねじれた場合でも読取り開始位置と読取り終端位置においても位置ずれを解消して画像品質を向上することにある。
【００１４】
【課題を解決するための手段】
前記の問題点を解決するために、この発明では次に示す手段を取った。
【００１５】
上カバーとベースフレームとで画像読取り装置のフレームを構成するとともに、読取り光学係を備える読取りユニットを副走査方向に案内するために設けるキャリア軸と従動レールとを備える画像読取り装置のフレーム構造において、
読取り原稿を載置するガラス板と、キャリア軸と、従動レールとを上カバーに位置決めさせて固着する。
【００１６】
なお、組立手順として、前記ベースフレームに前記キャリア軸と前記従動レールとを暫定的に設置した後に、前記上カバーを前記ベースフレームに係着することが望ましい。
【００１７】
上記の手段をとることにより、読取り基準となる機構部を上カバーのみに設置することになる。これにより、画像読取り装置に要求される精度は、読取り基準面から読取りユニットまでの距離を一定に精度よく保つから、必要精度が保証され、読取り基準面からＣＣＤまでの光路長は常に一定になる。これらにより、装置のねじれなどに対しても強度を保つとともに、装置全体がねじれた場合でも読取り開始位置と読取り終端位置において位置ずれを解消することができ、画像品質を向上する。また、上からの締付け作業を主な作業とすることから、組立作業性と組立精度とを保つ画像読取り装置のフレーム構造とする。
【００１８】
【発明の実施の形態】
この発明は、次に示す実施の形態を取った。
【００１９】
図１に示すように、画像読取り装置のフレーム構造は、
上カバー１５とベースフレーム１６とを樹脂成形で形成して画像読取り装置のフレームを構成するとともに、上カバー１５の中央開口部に配置する読取り原稿を載置するガラス板２１と、読取り光学係を備える読取りユニット３１と、当該読取りユニット３１を副走査方向に案内するために設けるキャリア軸２２と従動レール２３とを備える画像読取り装置のフレーム構造において、
前記ガラス板２１を前記上カバー１５の中央開口部に固着するとともに、前記キャリア軸２２と前記従動レール２３とを前記上カバー１５に位置決めされて固着する。
【００２０】
上記の形態をとることにより、読取り基準となるガラス板と副走査方向に移動する読取りユニットとを上カバーに設置することから、読取り基準となる機構部を上カバーのみに設置することになる。これにより、画像読取り装置に要求される精度は、各部品を組合せることにより決定する組立精度ではなく、上カバーの樹脂成形部品精度と、上カバーに固着するキャリア軸と従動レールとの部品単品の加工精度によって精度が決まるので、読取り基準面から読取りユニットまでの距離を一定に精度よく保つから、必要精度が保証され、読取り基準面からＣＣＤまでの光路長は常に一定になる。
【００２１】
また、上カバーはガラス板を両面テープなどで貼り合せて一体化されることから、上カバーの強度は増大して画像読取り装置を構成するフレーム強度の基準ともなる。これらにより、装置のねじれなどに対しても強度を保つとともに、装置全体がねじれた場合でも読取り開始位置と読取り終端位置において位置ずれを解消することができ、画像品質を向上する。さらに、ガラス板によってフレーム強度を確保するようにすることから、樹脂成形で形成する上カバー単品とベースフレーム単品での強度を必要としない。
【００２２】
さらに、図１および図２に示すように、前記画像読取り装置のフレーム構造は、
前記ベースフレーム１６に前記キャリア軸２２と前記従動レール２３とを暫定的に設置する係着部を形成するとともに、前記キャリア軸２２と前記従動レール２３とを前記係着部に係着してベースフレーム１６に設置した後に、前記上カバー１５を前記ベースフレーム１６に係着することによって前記キャリア軸２２と前記従動レール２３とを前記上カバー１５に位置決めして固着されるように構成する。
【００２３】
上記の形態をとることにより、画像読取り装置の組立において、上からの締付け作業を主な作業とすることから、組立作業性と組立精度とを保つ画像読取り装置のフレーム構造とする。
【００２４】
【実施例】
この発明による代表的な実施例を図１ないし図４によって説明する。なお、以下において、同じ箇所は同一の符号を付してあり、詳細な説明を省略することがある。
【００２５】
図１は本発明の実施例を示す。
【００２６】
同図（ａ）は図５に示す矢印Ａから見た断面図を示し、同図（ｂ）は図５に示す矢印Ｂから見た断面図を示している。同図において、原稿固定方式を備えた画像読取り装置は、上カバー１５とベースフレーム１６とを樹脂成形で形成して画像読取り装置のフレームを構成している。また、上カバー１５の中央開口部には、読取り原稿を載置するために設けるガラス板２１を固着している。
【００２７】
なお、ガラス板２１を上カバー１５に固着する場合は、ガラス板２１を両面テープなどで貼り合せてウエカバー１５とガラス板２１とを一体化させることにより、上カバー１５の強度を増大させて画像読取り装置を構成するフレーム強度の基準とする。
【００２８】
さらに、上カバー１５には、読取り光学係を備える読取りユニット３１と、当該読取りユニット３１を副走査方向に案内するために設けるキャリア軸２２と、従動レール２３とを備えている。なお、キャリア軸２２と従動レール２３とを上カバー１５に固着する場合は、キャリア軸２２と従動レール２３とを位置決めさせた後に、キャリア軸２２は側面から、従動レール２３は上面からネジの締付けなどによって固着する。なお、組立の詳細は後述する。
【００２９】
読取りユニット３１は、図示しない駆動ベルトなどによって駆動されて、キャリア軸２２上を移動する。また、読取りユニット３１は、従動ローラ３２を設けており、従動レール２３上に当接される。なお、読取りユニット３１は、光源３３と、ミラー３４と、結像レンズ３５と、ＣＣＤ３６とで読取り光学係を構成している。
【００３０】
原稿を読取る場合は、読取り原稿を上カバー１５の中央開口部に固着するガラス板２１に載置し原稿押えカバー５１（図５参照）によって固定し、上カバー１５に備える読取りユニット３１を副走査方向に一定速度で移動させながら順次イメージを読取ることになる。
【００３１】
このため、読取り基準となるガラス板２１と副走査方向に移動する読取りユニット３１とを上カバー１５に設置することから、読取り基準となる機構部を上カバー１５のみに設置することになる。これにより、組立精度ではなく、上カバー１５の樹脂成形部品精度と、上カバー１５に固着するキャリア軸２２と従動レール２３との部品単品の加工精度によって精度が決まるので、読取り基準面となるガラス板２１から読取りユニットまでの距離は一定に精度よく保つから、必要精度が保証され、読取り基準面（ガラス板２１）からＣＣＤ３６までの光路長は常に一定になる。
【００３２】
つぎに、組立手順の一例を説明する。
【００３３】
図２ないし図４は本発明の実施例を示す。
【００３４】
図２に示すように、画像読取り装置を組立てる際は、キャリア軸２２と従動レール２３とをベースフレーム１６に暫定的に設置した後に、ガラス板２１を固着した前述の上カバー１５を前記ベースフレーム１６の図示しない係着部に係着することによって、キャリア軸２２と従動レール２３とを上カバー１５に位置決めして固着されるように構成する。なお、図２（ａ）は、キャリア軸２２をベースフレーム１６に暫定的に設置した例を示し、図２（ｂ）は、従動レール２３をベースフレーム１６に暫定的に設置した例をそれぞれ示している。
【００３５】
図３に示すように、キャリア軸２２をベースフレーム１６に暫定的に設置する場合は、ベースフレーム１６の両側面に形成する上下方向に延びた長円穴４１にキャリア軸２２を挿入する。また、キャリア軸２２を上カバー１５に位置決めする場合は、上カバー１５の一方の側面に凹部を形成するボスからなる位置決め部４２にキャリア軸２２を係着させる。なお、その際は、キャリア軸２２には面取り部２２ａを形成しておく。また、図示しないが、キャリア軸２２の他端にはネジ孔を形成しておき、上カバー１５の他方の側面にはキャリア軸２２の他端を締付けるネジを挿入する穴を形成しておく。
【００３６】
図４に示すように、従動レール２３をベースフレーム１６に暫定的に設置する場合は、従動レール２３に例えば鉤型形状をなす爪部４４を形成し、ベースフレーム１６に前記爪部４４を係着する係着穴４３を形成するとともに、従動レール２３を爪部４４によって係着穴４３に係着させることで暫定的に設置する。
【００３７】
従動レール２３を上カバーに位置決めして固着する場合は、従動レール２３にネジ穴４５を形成し、さらに、図示しないが、上カバー１５の上面に従動レール２３を締付けるネジを挿入する穴を形成しておき、前述の図１（ｂ）に示すように、従動レール２３を上カバー１５の裏面に当接するまで締め上げる。つまり、従動レール２３は上カバー１５の裏面に当接させることでその位置が決定することになる。
【００３８】
なお、前記爪部４４は、従動レール２３がベースフレーム１６に係着させて暫定的に設置した後に、従動レール２３が上カバー１５の裏面に当接するまで上方向へ移動できるようにしておく。また、図示しないが、ベースフレーム１６には、従動レール２３に形成するネジ穴４５に対向する位置にネジが当接しないように逃げ穴を形成しておく。
【００３９】
このような画像読取り装置のフレーム構造によれば、画像読取り装置を組立てる際に、上からの締付け作業を主な作業とすることから、組立作業性と組立精度とを保つことになる。
【００４０】
【発明の効果】
この発明により、以下に示すような効果が期待できる。
【００４１】
読取り基準となるガラス板と副走査方向に移動する読取りユニットとを上カバーに設置することから、読取り基準となる機構部を上カバーのみに設置することができる。これにより、画像読取り装置に要求される精度は、各部品を組合せることにより決定する組立精度ではなく、上カバーの樹脂成形部品精度と、上カバーに固着するキャリア軸と従動レールとの部品単品の加工精度によって精度が決まるので、読取り基準面から読取りユニットまでの距離を一定に精度よく保つから、必要精度が保証され、読取り基準面からＣＣＤまでの光路長は常に一定にすることができる。
【００４２】
また、上カバーはガラス板を両面テープなどで貼り合せて上カバーと一体化されることから、上カバーの強度は増大して画像読取り装置を構成するフレーム強度の基準とすることもできる。これらにより、装置のねじれなどに対しても強度を保つとともに、装置全体がねじれた場合でも、読取り開始位置と読取り終端位置において位置ずれを解消することができ、画像品質を向上することができる。
【００４３】
さらに、画像読取り装置の組立において、上からの締付け作業を主な作業とすることから、組立作業性と組立精度とを保つ画像読取り装置のフレーム構造とすることができる。
【図面の簡単な説明】
【図１】本発明の実施例の模式図である。
【図２】本発明の実施例の模式図である。
【図３】本発明の実施例の図である。
【図４】本発明の実施例の図である。
【図５】画像読取り装置の概観斜視図である。
【図６】従来技術の図である。
【符号の説明】
１５：上カバー
１６：ベースフレーム
２１：ガラス板
２２：キャリア軸
２３：従動レール
３１：読取りユニット
４１：長円穴
４２：位置決め部
４３：係着穴
４４：爪部
４５：ネジ穴
【図１】
0003717061.tif 000002
【図２】
0003717061.tif 000003
【図３】
0003717061.tif 000004
【図４】
0003717061.tif 000005
【図５】
0003717061.tif 000006
【図６】
0003717061.tif 000007